(57)【要約】      （修正有）【課題】従来の西洋みつばちの養蜂方法を日本みつばち専用の養蜂方法に改良する。【解決手段】両側板の上面に上蓋７を取付けかつ数枚の適弊板を等間隔に取付け、かつ片面に等間隔の固定棒を内設する箱体を設けて箱体に固定し、更に働きばち出入口兼備の女王ばち排出防止具１を巣箱本体の働きばち出入口に取り付けかつ働きばち出入口兼備の女王ばち排出防止具１の通気口から巣箱内の女王ばちを外出させずスズメバチ等の外敵を巣箱内への進入を防止する日本みつばち専用の働きばち出入口兼備の女王ばち排出防止具。【選択図】図３
2012055231.tif 000002
【特許請求の範囲】
【請求項１】
両側板の上面に上蓋を取付けかつ数枚の適弊板を等間隔に取付け、更に片面に等間隔の固定棒を内設する箱体を設け、該箱体を置台に固定してなることを特徴とする日本みつばち専用の働きばち出入口兼備の女王ばち排出防止具。
【請求項２】
請求項１記載の働きばち出入口兼備の女王ばち排出防止具を巣箱本体の働きばち出入口に取り付けてなる請求項１記載の日本みつばち専用の働きばち出入口兼備の女王ばち排出防止具。
【請求項３】
請求項１記載の働きばち出入口兼備の女王ばち排出防止具の通気口から巣箱内の女王ばちを外出させず、かつスズメバチ等の外敵を巣箱内への進入を防止する請求項１及び２記載の日本みつばち専用の働きばち出入口兼備の女王ばち排出防止具。
【発明の詳細な説明】
【技術分野】
【０００１】
本発明は、みつばちの養蜂方法に関するが詳しくは日本みつばち専用の働きばち出入口兼備の女王ばち排出防止具に関するものである。
【背景技術】
【０００２】
従来から一般的な養蜂方法は専ら西洋みつばちの養蜂方法であり、例えば特開平８‐３７９８４号（特許第２７８３９７７号）が開示されている。この養蜂方法は、養蜂箱に巣門と通気口とを備えた養蜂箱本体と、外養蜂箱本体との開閉を自在にした養蜂箱蓋とから成る養蜂箱において、前記養蜂箱本体の通気口に手動操作用の作動ツマミを具備した回転自在の開閉蓋を取付け、かつ作動ツマミを係止するストッパーを付設し、更に前記養蜂箱の上方奥部分に餌補給と通風とを兼備した長方形網張口を設け、かつ該長方形網張口に開閉自在の開閉蓋を付設して成り、一方前記養蜂箱蓋の開閉蓋をゴムバンドを介して係止して成ることを特徴とする養蜂箱を用いて、はちみつを採取するものである。
【特許文献１】特開平８−３７９８４号公報  この公開されている養蜂方法は、従来から一般的に使用されている養蜂箱を用いて西洋みつばちのみつを採取する方法である。以下、その具体的な養蜂箱とその養蜂方法について説明する。
【０００３】
図２１乃至図３０は従来の養蜂箱を示したものであり、３１が養蜂箱本体で３２が通気口である。養蜂箱本体３１は、木製の素材を用いて箱状に加工されており、その一側面（前方）には巣門３７と通気口３２が形成されている。巣門３７は下段中央部に細長状に穴設されており、通気口３２はその上方部に円形状に穴設されている。また、この通気口３２には網張りＳされている。３３は通気口３２の開閉蓋であり木製板を円形状に形成し、その表面には開閉蓋２３を手動操作するための作動ツマミ３４が取付けてある。また、この開閉蓋２３は後述するように巣門を開閉する機能も有している。３５は開閉蓋３３を通気口３２に取付るための支軸ネジであり、この支軸ネジ３２を軸心にした開閉蓋３３を一定の位置で係止させるためのストッパーであり、作動ツマミ３４が係止されるように構成されている。
【０００４】
また３８は養蜂箱蓋であり、上方部分に餌を補給するための餌補給と痛風とを兼備した長方形網張口が穴設されている。この餌補給口３９の内側は網張Ｄされており、上方奥部分には開閉自在になる開閉蓋４０が付設されている。なお４１は蝶つがいであり、この蝶つがい４１を介して開閉蓋４０を自在に開閉できるので、ワンタッチで餌補給口３９から餌を注入することができると共に、養蜂箱本体３７内に外気を通風させることができる。なお、４２はゴムバンド４３を止める係止ピンである。
【０００５】
次に、図２３と図２４によって従来の養蜂箱の操作方法について説明する。まず、開閉蓋３３の作動ツマミ３４を手で持ち右方向に回転させると、作動ツマミ３４がストッパー３６で係止され通気口３２は図３７に示すように開閉蓋３３によって完全に密封されることになる。その際、巣門３７は開口状態となる。ついで、支軸ネジ３５を軸心にして作動ツマミ３４を左方向に回転させると、図２４に示すように開閉蓋３３を下方向に移動し一定の位置（本図では支軸ネジ３５と対向位置で停止される。その結果、通気口３２は開閉状態となるが、巣門３７は密封状態となる。なお、開閉蓋３３は木製素材が用いられている。
【０００６】
更に、図２５と図３０によって従来の養蜂箱から成る養蜂箱蓋の開閉操作について説明する。まず、通常は図２５のように開閉蓋４０は係止ピン４２、４２間にゴムバンドで止められているので、蓋部分は完全に密封状態で閉じられている。この状態でもって、養蜂箱内に餌を補給しようとする場合は、図３０に示すようにゴムバンド４３を係止ピン３２から取りはずして開閉蓋４０を矢印方向に手動操作すれば、餌補給口３９が開かれて網張りＤ部分から餌を補給することができる。その後、餌補給口３９を介して養蜂箱内の空気と外気との通風も同時に行うことが可能となり、しかも養蜂箱内の様子を見ることも可能となる。
【発明の開示】
【発明が解決しようとする課題】
【０００７】
このように従来から使用されている養蜂方法は、いずれも西洋みつばちの養蜂方法であって、日本みつばちの養蜂箱でも養蜂方法ではない。日本みつばちは、すでに５〜６０年前に西洋みつばちが輸入されてからは、活用できず壊滅状態となり日本国から日本みつばちは消滅されてしまった。
【０００８】
特に、日本みつばちは日本の自然環境とりわけ日本全土の草花・果物の受粉としての役割は大昔（２０〜３０億年前位）から果たしてきていた。それが西洋みつばちの輸入によって日本全土から日本みつばちがいなくなり、すべてが西洋みつばちが代役されてきたのが現状である。
【０００９】
しかし最近では、その西洋みつばちが原因不明の現象によって滅びつつあり、やむを得ず日本の養蜂業者は外国からみつのみを輸入して市場化されるようになった。その結果、不良品のはちみつが市場に出廻り役所の監視化が厳しくなり、日本での養蜂業者の経営が成り立たず廃業する現象も起きている。この現象によって、西洋みつばちが日本全土から姿を消えれば受粉を人間の手によって行わなければならず、しかもその成果が不充分であるから、野菜や果物の生産農家にも多大な影響を及ぼすことになる。
【００１０】
そこで、我が国古来からの日本みつばちの早期開発が求められており、西洋みつばちに代って我が国本来の日本みつばちが開発されている。ここに本発明が解決しようとする課題を有する。
【課題を解決するための手段】
【００１１】
本発明は上記の如き課題を解決するために開発したものであって、両側板の上面に上蓋を取付けかつ数枚の適弊板を等間隔に取付け、更に片面に等間隔の固定棒を内設する箱体を設け該箱体を置台に固定してなることを特徴とする日本みつばち専用の働きばち出入口兼備の女王ばち排出防止具の提供にあり、また前記日本みつばち専用の働きばち出入口兼備の女王ばち排出防止具を巣箱本体の働きばち出入口に取り付けてなる日本みつばち専用の働きばち出入口兼備の女王ばち排出防止具の提供にあり、また前記日本みつばち専用の働きばち出入口兼備の女王ばち排出防止具の通気口から巣箱内の女王ばちを外出させず、かつスズメバチ等の外敵を巣箱内への進入を防止する日本みつばち専用の働きばち出入口兼備の女王ばち排出防止具の提供にある。
【発明の効果】
【００１２】
本発明は、両側板の上面に上蓋を取付けかつ数枚の適弊板を等間隔に取付け更に片面に等間隔の固定棒を内設する箱体を設け、該箱体を置台に固定してなる日本みつばち専用の働きばち出入口兼備の女王ばち排出防止具であり、また日本みつばち専用の働きばち出入口兼備の女王ばち排出防止具を巣箱本体の働きばち出入口に取り付けてなる日本みつばち専用の働きばち出入口兼備の女王ばち排出防止具であり、更に前記日本みつばち専用の働きばち出入口兼備の女王ばち排出防止具の通気口から巣箱内の女王ばちを外出させず、かつスズメバチ等の外敵を巣箱内への進入を防止する日本みつばち専用の働きばち出入口兼備の女王ばち排出防止具であるから、従来の働きばちの出入口から女王ばちの排出を完全かつ確実に防ぐことができる。なお、従来の西洋みつばちの養蜂方法で認められた次のような具体的な効果も得られる。
ア、日本みつばちは西洋みつばちとは異なり、採蜜活動の場所が標高１，０００ｍ〜１，  ５００ｍの山里であることから、主として高山植物に開花されている小さな花からみつ  を採取しているので、西洋みつばちの採取しているみつとは全く高質成分のみつが得ら  れる。
イ、また、日本みつばちは西洋みつばちとは異なり、人工的に作成された養蜂箱に巣づく  りをしてみつを採取することができず、全く自然の環境状態にしてはちたちが自ら巣箱  をつくる習性があるから、みつの採取量が西洋みつばちよりはるかに少量であり、しか  も１年からに２年位しないと採蜜することができない。その結果、西洋みつばちより高  額となり高級指向型のみつを提供することができる。
ウ、このような習性と特性を有する日本みつばちを我が国全土に養蜂するのには、日本み  つばちに適した山里を管理するのが前提条件となるので、国などの公共団体の支援はも  とより、我が国養蜂家の高質化が不可欠となる。この養蜂家の養成が我が国の野菜や果  物などの自給自足を高めることができるとともに、高質で高級な日本みつばちのみつを  市場に提供することが可能となる。
エ、よって、本発明による日本みつばちの養蜂方法を採用すれば、上記の如き多くの効果  が得られることになり、我が国の農林業の支援にも大いに役立つことにもなる。
【発明を実施するための最良の形態】
【００１３】
本発明の最良な実施形態は、大昔から自然養蜂されていた日本みつばちを人工的な養蜂方法を新規に開発したものである。以下、図１から図２２によって、最良の実施形態について説明する。
【００１４】
図１は本発明の日本みつばち専用の働きばち出入口兼備の女王ばち排出防止具を示したものであり、１はその女王ばち排出防止具体である。女王ばち排出防止具本体１は、働きばちが自由に出入できる格子戸式を有する長方形の箱型の容器から構成されている。この女王ばち排出防止具本体１を従来の西洋みつばち専用の働きばち出入口に取付けた状態を図２に示した。その取付け方法は図２に示すように従来から使用されている西洋みつばちの巣箱本体Ｃの下方側中央に有する出入口４に固定台Ｃ付の女王ばち排出防止具本体１を着脱自在となるように挿着する。なお、Ｓは女王ばち排出防止具１とおもしＧを固定するガムテープであり、このガムテープＳで固定されたおもしは女王ばち排出防止具本体１が振動によって離脱しないようにするためのものである。このような取得方法によって、巣箱本体Ｃに女王ばち排出防止具本体１に取付けられた状態が図３に示されている。すなわち、本発明の容具を従来の巣箱Ｃに取付けて女王ばち入りの日本みつばちの好む原野に置けば、あとは日本みつばちが自由に原野の花からみつを採取することができる。なお、３は巣箱本体Ｃ内の外から様子を見るための螺着で取り付けられている開閉蓋３であり、この開閉蓋３に適宜開閉して働きばちの様子とはちみつの採取状態を調べることができる。また、７は巣箱本体Ｃの上蓋７であり日本みつばちの働きばちがみつを集める巣でもある。日本みつばちは西洋みつばちと異り、人間が成型したみつ貯留板にはみつを溜めることができない習性があるので常に上方に日本みつばち特有のみつ袋を造って、その中に採取してみつを集納する習性がある。したがって本発明容器の場合も巣箱Ｃは空洞にしておけば、上蓋７の内壁にみつ収納袋を造ってみつを貯留されている。
【００１５】
次に、図４と図５とによって本発明容具を日本みつばちが使用する方法を説明すれば、日本みつばちの働きばちＡは図４に示すように女王ばち排出防止具本体１のはち出入口４から自由に出入りしているが、女王ばち１３は図５に示すように排出防止具本体１からは外に出ることはできない。
【００１６】
また、図１３から図２０とによって本発明に使用される養蜂箱の使用方法と養蜂方法について説明する。まず、図１３に示すように養蜂箱本体２１内にはちみつ巣内にみつＢが貯まったならば、底板２５を取りはずして図１２の状態にした後に図１３に示す状態に養蜂箱本体２１を横に倒して空の養蜂箱本体２１ａの上蓋２８、２８ａを取りはずして、重ね合わせてガムテープＰで連着する。そうすれば、両養蜂箱本体２１、２１ａの底部が貫通されることになる。このような操作によって図１３に示す状態に養蜂箱本体２１にしてから、養蜂箱本体２１の上蓋２８を取りはずして、みつのたまっている板状のはちみつＢを包丁Ｙで剥がして別体の袋Ｗに投入する。  
【００１７】
また、図１５と図１６に示すようにははちみつＢを取り除いた後に底面にたまっているはちみつＢを雑巾Ｖできれいに拭き取り同時に箱内にいるみつばちＡを奥の方に刷毛Ｈで追い込み空の養蜂箱本体２１ａに移せば、図１１の状態に空の養蜂箱本体２１ａ内にみつばちＡを完全に移動させたならば、ガムテープＰを剥がして養蜂箱本体１を取り除いて手早く底板２５を固定する。そうすれば、養蜂箱本体２１ａに移動されたみつばちＡは図９に示した状態となり、新しく巣箱を簡単容易につくることができる。
【００１８】
なお、図１９と図２０は横型式の養蜂箱を示したものであり、基本的には縦型式のものと同じであるから説明は省略する。
【図面の簡単な説明】
【００１９】
【図１】本発明の容具を示した斜視図。
【図２】図１に示した容具の巣箱取付状態を示した斜視図。
【図３】本発明の使用状態を示した概要斜視図。
【図４】本発明の使用状態を示した概要斜視図。
【図５】本発明の使用状態を示した概要斜視図。
【図６】本発明の使用状態を示した概要斜視図。
【図７】従来の養蜂方法を示した概要斜視図。
【図８】従来の養蜂方法を示した概要斜視図。
【図９】従来の養蜂方法を示した概要斜視図。
【図１０】従来の養蜂方法を示した概要斜視図。
【図１１】従来の養蜂方法を示した概要斜視図。
【図１２】従来の養蜂方法を示した概要斜視図。
【図１３】従来の養蜂方法を示した概要斜視図。
【図１４】従来の養蜂箱を示した概要斜視図。
【図１５】従来の養蜂箱を示した概要斜視図。
【図１６】従来の養蜂箱を示した概要斜視図。
【図１７】従来の養蜂箱を示した概要斜視図。
【図１８】従来の養蜂箱を示した概要斜視図。
【図１９】従来の養蜂箱を示した概要斜視図。
【図２０】従来の養蜂箱を示した概要斜視図。
【図２１】従来の養蜂箱を示した概要斜視図。
【図２２】従来の養蜂箱を示した概要斜視図。
【符号の説明】
【００２０】
１  容具本体                ２  養蜂箱
３  開閉蓋                  ４  取手金具
５  取手                    ６  フック
７  上蓋
【図１】
2012055231.tif 000003
【図２】
2012055231.tif 000004
【図３】
2012055231.tif 000005
【図４】
2012055231.tif 000006
【図５】
2012055231.tif 000007
【図６】
2012055231.tif 000008
【図７】
2012055231.tif 000009
【図８】
2012055231.tif 000010
【図９】
2012055231.tif 000011
【図１０】
2012055231.tif 000012
【図１１】
2012055231.tif 000013
【図１２】
2012055231.tif 000014
【図１３】
2012055231.tif 000015
【図１４】
2012055231.tif 000016
【図１５】
2012055231.tif 000017
【図１６】
2012055231.tif 000018
【図１７】
2012055231.tif 000019
【図１８】
2012055231.tif 000020
【図１９】
2012055231.tif 000021
【図２０】
2012055231.tif 000022
【図２１】
2012055231.tif 000023
【図２２】
2012055231.tif 000024